(57)【要約】少なくとも１つのフレキシブル貯蔵容器（１２）を塩水（１４）域内の水中位置に拘束する段階と、フレキシブル貯蔵容器（１２）と流体連通した陸上取水口（１６）を設置する段階と、貯蔵水を放出するためフレキシブル貯蔵容器と流体連通した陸上放水口（３０）を設置する段階とを含む水貯蔵方法。【選択図】図１Ａ
2008508454.tif 000002
【特許請求の範囲】
【請求項１】
水貯蔵方法であって、
少なくとも１つのフレキシブル貯蔵容器を塩水域内の水中位置に拘束する段階と、
前記フレキシブル貯蔵容器と流体連通した陸上取水口を設置する段階と、
貯蔵水を放出するため前記フレキシブル貯蔵容器と流体連通した陸上放水口を設置する段階と、
を含む方法。
【請求項２】
前記取水口及び放水口が、前記貯蔵器とそれぞれ流体連通可能であるように共通導管に構成されることを特徴とする請求項１に記載の水貯蔵方法。
【請求項３】
少なくとも２つのフレキシブル貯蔵容器があり、前記少なくとも２つのフレキシブル貯蔵器は、相互接続マニホルドにより互いに流体連通して相互接続されることを特徴とする請求項１に記載の水貯蔵方法。
【請求項４】
水取水口の分配を可能にするために前記フレキシブル貯蔵容器と流体連通した別の陸上取水口を設置する段階を更に含む請求項１に記載の水貯蔵方法。
【請求項５】
前記陸上取水口が、水を取り込むために川、ストームウォーター又は雨水系に位置決めされることを特徴とする請求項４による水貯蔵方法。
【請求項６】
前記陸上取水口と流体連通してサージタンクを設置する段階を更に含む請求項１に記載の水貯蔵方法。
【請求項７】
前記サージタンクが、陸上掘削によって形成されることを特徴とする請求項６に記載の水貯蔵方法。
【請求項８】
前記サージタンクが、水取り込みの範囲を増大させるために川、ストームウォーター又は雨水系に位置決めされることを特徴とする請求項６に記載の水貯蔵方法。
【請求項９】
前記陸上放水口からの水を処理する段階を更に含む請求項１に記載の水貯蔵方法。
【請求項１０】
前記陸上取水口及び陸上放水口が、地理的に離間して配置されることを特徴とする請求項１に記載の水貯蔵方法。
【請求項１１】
ライセンスのコストが、前記陸上取水口又は各陸上取水口の上流の集水面積又は平均集水容量に基づいていることを特徴とする請求項１又は請求項３に従って貯蔵された水にライセンス供与する方法。
【請求項１２】
前記ライセンスのコストが、貯蔵水の最大貯水容量又はその最大貯水容量の利用に基づいていることを特徴とする請求項１又は請求項３に従って貯蔵された水にライセンスを供与する方法。
【請求項１３】
フレキシブル流体不浸透性コンテナ、少なくとも１つのマニホルド取り付け手段、及びコンテナ内に位置決めされた少なくとも１つのマニホルドを備えた水面下水貯蔵システムと共に用いるためのフレキシブル水貯蔵容器であって、
前記少なくとも１つのマニホルド取り付け手段は、前記貯蔵容器が空になるときに流水量を維持することができるように前記少なくとも１つのマニホルドを所定位置に保持するように配置されることを特徴とするフレキシブル水貯蔵容器。
【請求項１４】
前記少なくとも１つのマニホルドが細長く、前記少なくとも１つのマニホルドの両端から水入口流れ及び水出口流れが出入りすることを特徴とする請求項１３に記載のフレキシブル水貯蔵容器。
【請求項１５】
前記水入口流れ及び水出口流れが、別々のマニホルドを介して出入りすることを特徴とする請求項１３に記載のフレキシブル水貯蔵容器。
【請求項１６】
前記コンテナは更に、前記貯蔵容器が空になったときに前記フレキシブルコンテナの壁が前記水の流れを阻止しない支持体を含むことを特徴とする請求項１３に記載のフレキシブル水貯蔵容器。
【請求項１７】
前記コンテナが更に、１つ又はそれ以上の他のフレキシブル水貯蔵容器と共に構成中に前記フレキシブル水貯蔵容器を取り付けるための取り付け機構を含むことを特徴とする請求項１３に記載のフレキシブル水貯蔵容器。
【請求項１８】
前記取り付け機構により、１つ又はそれ以上の他のフレキシブル水貯蔵容器と共に前記フレキシブル水貯蔵容器をハニカム構成に構成し係止することが可能になることを特徴とする請求項１７に記載のフレキシブル水貯蔵容器。
【請求項１９】
前記貯蔵器の各々のマニホルドが、相互接続マニホルドを用いて相互接続されることを特徴とする請求項１７から請求項１８のいずれか１項による複数のフレキシブル水貯蔵容器を含む水貯蔵システム。
【請求項２０】
前記システムでは、前記フレキシブル水貯蔵容器が、ハニカム構成に配置されることを特徴とする請求項１９に記載の水貯蔵システム。
【請求項２１】
前記相互接続マニホルドが、陸上取水口及び陸上放水口のいずれか又は両方と流体連通することを特徴とする請求項１９に記載の水貯蔵システム。
【請求項２２】
サージタンクが、前記陸上取水口と流体連通していることを特徴とする請求項２１に記載の水貯蔵システム。
【請求項２３】
前記サージタンクが、陸上掘削によって形成されることを特徴とする請求項２２に記載の水貯蔵システム。
【請求項２４】
前記陸上放水口からの水が、水処理設備によって処理されることを特徴とする請求項２１に記載の水貯蔵システム。
【請求項２５】
前記フレキシブル水貯蔵容器が、使用中に塩水域の底面上の位置に固定されることを特徴とする請求項１９に記載の水貯蔵システム。
【請求項２６】
前記フレキシブル水貯蔵容器が、貯蔵容器が破裂する場合に前記システムの汚染を防止する塩分監視装置を組み込むことを特徴とする請求項１９に記載の水貯蔵システム。
【請求項２７】
塩水域内で使用中に浸水可能なフレキシブル貯蔵容器と、
使用中に陸上に位置決め可能であり前記貯蔵容器と流体連通した陸上貯蔵器と、
を備えた水貯蔵システムにおいて、
前記システムが、前記陸上貯蔵器から取水貯蔵器に流れる水に対して制限を加えないように構成されることを特徴とする水貯蔵システム。
【請求項２８】
使用中、貯蔵された水の合計質量のうち、塩水域の自由表面上に保持された水の質量は、貯蔵された合計質量のほぼ２．５％であることを特徴とする請求項２７に記載の水貯蔵システム。
【請求項２９】
添付図面に示す実施形態のいずれか１つを参照しながら実質的に記載された水貯蔵方法。
【発明の詳細な説明】
【技術分野】
【０００１】
本発明の分野は、全体的には液体の貯蔵の貯蔵器に関し、詳細には水貯蔵用の海底貯蔵器に関する。
【背景技術】
【０００２】
水の貯蔵は、都市環境では特定の問題になる可能性がある。多くの都市環境は、比較的降雨量が多い沿岸地域で発展してきた。これらの都市地域から都市ストームウォーターの形態での流出を取り込んで再利用する場合、これ以上のダムを建設する要求は延期され、又は全く排除される可能性がある。
【０００３】
集水は、川谷全体にわたってダムの形態にするのが一般的である。これらのダムは、建設に極めて費用がかかり、多くの場合大量の貴重な農地を消滅させる。このようなダムはまた、川谷の全既存の生物を滅ぼし、人造湖内に捕捉された植物性素材は、該植物性素材の分解から著しい大量の温室効果ガスの発生を生じる可能性がある。場合によっては、この温室効果ガス生成は、水力電気発電によって相殺することができるが、一般的にはダムを建設するのは望ましくない。
【０００４】
多くの地理的な位置では、淡水源は比較的都市環境の近くに設置されるのが一般的であるが、この淡水源は、ダムのような従来の手段による取り込みには好適ではない可能性がある。例えば淡水源は、より密集した都市地域から１００ｋｍ以内に設置するのが一般的である。
【０００５】
こうした都市地域内又は近くにある現在利用されていない水源を取り込み、これらの都市地域への水の供給に活用することができるような方法があれば好都合であろう。
【発明の開示】
【課題を解決するための手段】
【０００６】
第１の態様において、本発明は、少なくとも１つのフレキシブル貯蔵容器を塩水域内の水中位置に拘束する段階と、フレキシブル貯蔵容器と流体連通した陸上取水口を設置する段階と、貯蔵水を放出するためフレキシブル貯蔵容器と流体連通した陸上放水口を設置する段階とを含む水貯蔵方法を提供する。
【０００７】
この方法は、有用な陸地が水貯蔵のために費やされない利点を提供する。同様に、高密度の塩水によって、貯蔵器が拘束される塩水の自由表面上に貯蔵水の自由表面を生じる別の利点を有する。これにより、水が貯蔵器から回収されるときの有意な量の電力を節約することができる。
【０００８】
本発明の一実施形態では、取水口及び放水口は、共通の導管を介してフレキシブル貯蔵容器と流体連通する。この導管は、互いに分割された取水口及び放水口から、或いは共通パイプで流体を得ることができる。取水口及び放水口はまた、共通にすることができる（すなわち単一のユニットで具現化される）。
【０００９】
１つの形態において、少なくとも２つのフレキシブル貯蔵容器があり、これらの貯蔵器は、相互接続マニホルドにより互いに流体連通している。
【００１０】
１つより多い水源が取り込みに利用可能である場合、本発明の実施形態は、例えば川、ストームウォーターチャネル又は雨水系からの水の取り込み用に１つより多い陸上取水口を設置することを含むことができる。
【００１１】
種々の水源は通常、様々な供給特徴を有する。例えば、ストームウォーター流出により、通常比較的短い時間期間で高容量の水が得られる。この状況における取り込まれる水の範囲は、陸上取水口と流体連通したサージタンクを設けることによって改善することができる。高潮が起こると、過剰な流量がサージタンク内に蓄積され、次いで時間と共に貯蔵容器に移行させることができる。
【００１２】
サージタンクは、多くの方法の１つによって形成することができる。タンクは、従来のコンクリートタンクの形態とすることができるが、このようなタンクは極めて邪魔になる可能性がある。或いはサージタンクは、状況が許す場合は陸上掘削によって形成することができる。これは、サージタンクを隠す利点をもたらす。
【００１３】
サージタンクは、沿岸周辺に設置する必要はない。例えば、サージタンクは、貯蔵容器から遠方及び／又は取水口から遠方の丘又は山腹に設置することができる。
【００１４】
幾つかの状況では、その取り込まれた形態の水は、飲料水として好適なものとはならない。これらの状況下では、本発明の実施形態は、陸上放水口からの水を処理する追加段階を含むことができる。処理はまた、取水口でもおこなう場合がある。
【００１５】
本発明の別の態様では、貯蔵水にライセンスを供与する方法が提供され、ライセンスのコストは陸上取水口の上流の集水面積に基づいている。或いはコストは、時間期間にわたって陸上取水口を通過する水の平均容量に基づくことができる。他の利用可能なライセンス供与モデルには、コストが貯蔵容器の最大貯水容量又は所与の時間期間にわたるその貯水容量の利用に基づくモデルを含む。
【００１６】
別の態様では、本発明は、フレキシブル流体不浸透性コンテナ、少なくとも１つのマニホルド取り付け手段、及びコンテナ内部に位置決めされた少なくとも１つのマニホルドを備える水面下水貯蔵容器と共に用いるためのフレキシブル水貯蔵容器を提供し、少なくとも１つのマニホルド取り付け手段は、貯蔵容器が空になると流水量を維持できるように少なくとも１つのマニホルドを適切な位置に保持するように配置される。
【００１７】
マニホルドの位置決めは、水が貯蔵容器から汲み出される時に重要である。幾つかの環境では、ポケットをフレキシブル貯蔵容器壁内に形成することは可能であるが、これらのポケットは貯蔵容器からの水の抽出を阻止する。マニホルドの位置決めは、これを軽減させることができる
【００１８】
貯蔵容器からの水の抽出を促進することができるマニホルドの幾つかの構成がある。一実施形態では、マニホルドは細長く、水出口流れ及び水入り口流れは、マニホルドの両端から出入りする。別の実施形態では、水出口流れ及び水入り口流れは、別々のマニホルドを介して出入りする。
【００１９】
貯蔵容器からの水の抽出はまた、貯蔵容器が空になるときにフレキシブルコンテナの壁が水の流れを阻止しないようにする支持体の提供によって促進することができる。フレキシブルコンテナはまた、過度の圧力からフレキシブルコンテナの損傷を防止する圧力開放バルブを備えることができる。
【００２０】
本発明の別の実施形態では、コンテナは更に、フレキシブル水貯蔵容器を１つ又はそれ以上の他のフレキシブル水貯蔵容器を備えた構成に取り付けるための取り付け機構を含む。この取り付け機構は、貯蔵容器を幾つかの異なる構成に組立てることを可能にする。これらの構成には、例えば、互いに隣接した配置又は相互に積み重なる配置を含む。１つの特定の実施形態では、取り付け機構は、フレキシブル水貯蔵容器をハニカム構成に構成及び係止することを可能にする。このハニカム構成は、貯蔵器間のスペースを最小限に抑え、その結果、海洋生物を貯蔵器上で生育するのに利用可能なスペース量を最小限に抑える。同様に貯蔵器がこの構成にある場合、構成内の外部貯蔵器は内部貯蔵器を損傷から保護する。
【００２１】
別の態様では、本発明は、複数のフレキシブル水貯蔵容器を備えた水貯蔵システムを提供し、貯蔵器又は貯蔵器の各々のマニホルドは、相互接続マニホルドを用いて相互接続される。
【００２２】
本システムの特定の実施形態では、フレキシブル水貯蔵容器は、ハニカム構成に配置される。
【００２３】
他の実施形態では、相互接続マニホルドは、陸上取水口及び陸上放水口のいずれか又は両方と流体連通している。
【００２４】
本システムの実施形態はまた、陸上取水口と流体連通したサージタンクを有することができる。適切な場合、本発明の実施形態は、このサージタンクを陸上掘削によって形成させることができる。本システムの実施形態はまた、陸上放水口（又は取水口でも）に接続された水処理設備を有することができる。
【００２５】
本システムの実施形態が、塩水域に位置決めされる場合には、フレキシブル水貯蔵容器は、これらが所定位置外に移動しないよう所定位置に固定することができる。同様に、フレキシブル水貯蔵容器が所定位置にある場合、この固定により、浮揚性貯蔵容器が移動しないようにすることができる。
【００２６】
別の態様では、本発明は、塩水域内で使用中に浸水可能なフレキシブル貯蔵容器と、使用中及び貯蔵容器と流体連通して陸上に位置決め可能な陸上貯蔵器とを備えた水貯蔵システムを提供し、本システムは、貯蔵容器から陸上貯蔵器に流れる水に対して制限を加えないように構成される。
【００２７】
特定の実施形態では、貯蔵された水の合計質量のうち、塩水域の自由表面上の陸上貯蔵器に保持された水の質量は、貯蔵された合計質量のほぼ２．５％である。塩水の自由表面の上方に保持されたこの水の質量は、水源として用いるための貯蔵器又は他の場所に水を引き上げるのに利用することができる。このような質量はまた、フレキシブル貯蔵容器上の塩水域の作動によって塩水の自由表面の上方に保持することができる。
【００２８】
特定の実施形態において、陸上貯蔵器からの水上部圧力が水を貯蔵容器内に強制的に送る充填状態に構成されたバルブを用いることができる。充填後バルブは、貯蔵水の一部が遠隔の場所に押し出されるように保存圧力が補助ラインを通って貯蔵水を強制的に送る放出状態に構成することができる。
【発明を実施するための最良の形態】
【００２９】
次に、添付図面を参照しながら本発明の好ましい実施形態を例証として説明する。以下の説明において、同じ参照番号が本発明の様々な実施形態の同じ要素を示すのに用いられる。
【００３０】
図１から図４は、水貯蔵システムの実施可能な実施形態の種々の構成を示す。図１は、陸地１７に位置決めされた陸上取水口１６及び塩水域１４に隣接して設置された陸上放水口１８と流体連通して塩水域１４に固定されたコンテナ１２の形態で５つのフレキシブルな貯蔵容器を有する水貯蔵システム１０を示す。
【００３１】
使用中、例えば川、ストームウォーター又は雨水からの水は、陸上取水口１６を通ってそこからコンテナ１２に向かう。水は、陸上放水口１８から汲み上げることによってコンテナ１２から回収することができる。
【００３２】
この実施形態では、水貯蔵タンク２６はまた、サージタンクとして岩の中に掘削されている。別の実施形態では、このタンクは、コンクリート又はスチールタンク等の従来の地上タンクの形態であってもよい。タンク２６は、水が陸上取水口１６を通ってコンテナ１２に移行する時間ができるまでは、水の流量の急増を緩衝することを可能にするアキュムレータとして機能する。水を緩衝するこの能力は、システムによる水取り込みの程度を増やし、オーバーフローによる損失を低減することができる。
【００３３】
水は、典型的な貯蔵水用途のために放水口１８から汲み出すことができる。例えば水は、家庭内飲料水としてその後の配水用に水処理設備（図示せず）に移行することができる。他の用途には、工業用及び農業用（例えば、灌漑）において処理水又は未処理水を用いることが含まれる。
【００３４】
取水口１６及び放水口１８は、別個の導管２０によってコンテナ１２に接続される。別個の導管を使用することで、コンテナ１２内の水の混合が促進される。しかしながら、取水口１６及び放水口１８は、システム実装に伴うコストを低減させることができる共通の導管を共用することができる。導管２０は、岩に割り込み、コンテナ１２まで海底パイプとして延ばすことができる。
【００３５】
コンテナ１２は、コンテナ１２の各々の内部に位置決めされた抽出マニホルド２４から水を汲む相互接続マニホルド２２によって互いに接続される。相互接続マニホルド２２は、導管２０との間で水を移行し、コンテナ１２間に水を分配する。
【００３６】
図１に示す実施形態では、各コンテナ１２内に２つの抽出マニホルド２４がある。取水マニホルド２８は取水口１６から水を受け取り、放水マニホルド３０はコンテナから水を回収する。本発明の他の実施形態では、単一のマニホルドが取水及び放水マニホルドの両方として動作することができる。
【００３７】
別の実施形態では、コンテナの両端に設置された２つの相互接続マニホルドがある。これらの相互接続マニホルドは、組み合わせ取水／放水マニホルドの両端に接続される。使用中、取水口からの水は、マニホルドの第１のものを介してコンテナに移行し、水は他のマニホルドを介してコンテナから放水口に移される。
【００３８】
ここで図６Ａから図６Ｃを参照すると、コンテナ１２の幾つかの構成が示される。コンテナ１２の形状及び抽出マニホルド２４の構成の両方の様々な構成が示される。
【００３９】
図６Ａ（ｉ）及び図６Ａ（ｉｉ）は、抽出マニホルド２４がコンテナ１２内に位置決めされた、それぞれ空の状態及び満杯の状態におけるシステムの実施形態を示している。垂直支持体３４は、コンテナ１２の剛体ベース３６から突出し、使用中にコンテナ１２が空状態になったときにコンテナ１２のフレキシブル膜３８を支持する。
【００４０】
マニホルド２４の各々は、支持体３４に一体化された取り付け機構３２に取り付けられる。取り付け機構３２を備えた支持体３４上のマニホルド２４の位置決めは、フレキシブル膜３８が抽出マニホルド２４上の水接続口を遮らないようにすることによって、水の流れを維持するのを助ける。コンテナ１２はまた、圧力開放バルブ４４を備える。圧力開放バルブ４４は、過度の水圧がコンテナ１２内で増大した場合にコンテナ１２に対する損傷を防止する。
【００４１】
空状態及び満杯状態の両方におけるシステムの別の実施形態が、図６Ｂ（ｉ）及び図６Ｂ（ｉｉ）に示される。この実施形態では、４つの抽出マニホルド２８，３０（２つの取水マニホルド及び２つの放水マニホルド）は、コンテナ１２の剛体ベース３６から突出する垂直支持部材３４の遠位端４０に浮遊する。この実施形態では、コンテナ１２が空状態に近づくと、フレキシブル膜３８が、支持体及び抽出マニホルド２４全体を覆う場合、空隙は垂直支持部材３４の遠位端４０の下方領域内に維持される。この実施形態では、４つの抽出マニホルド２８，３０は、浮揚性があり、支持体３４に沿って摺動可能である。
【００４２】
空状態及び満杯状態の両方におけるシステムの別の代替的な実施形態が図６Ｃ（ｉ）及び図６Ｃ（ｉｉ）に示される。この実施形態では、六角形コンテナ１２は、相互接続されて積み重ねハニカム構成になる。このハニカム配置は、コンテナ１２が空状態に近づいたときに、垂直に整列したコンテナ１２からの抽出マニホルド２４が互いに積み重なり、フレキシブル膜３８が抽出マニホルド２４上の水接続口を遮らないようにするのを助ける利点を有する。
【００４３】
コンテナ１２の所与の構成への係止を容易にするために、図６Ｃ（ｉｉｉ）に示すような係止要素４２がコンテナ１２の縁部に設けられる。一連の同様のコンテナを構成内に係止することを可能にするために、別のオス及びメス係止要素がコンテナ１２の両側に設けられる。
【００４４】
別の実施形態では、長円型又は矩形のコンテナは、同様の稠密構成に積み重ねることができる。コンテナを積み重ねた構成に位置付けることによって、コンテナ間に構築される海洋生物が利用可能なスペースが最小限に抑えられる。積み重ね構成はまた、最外コンテナが内部コンテナを損傷から保護する利点を提供する。従って、システムに対する動物の攻撃又は暴風雨損傷等の他の損傷がある場合でも、最外コンテナは、内部コンテナに対して犠牲的障壁を提供する。
【００４５】
現在損傷を受けたコンテナにおいて破裂による非損傷コンテナの貯蔵水の汚染を防止するために、本システムはまた、塩分監視装置４６を備える。コンテナ１２の塩分含有量の増大が検出されると、バルブが動作し、汚染コンテナ１２の抽出マニホルド２４を相互接続マニホルド２２から分離する。
【００４６】
コンテナ１２を塩水域の底面に固定することができる幾つかの実施可能な方法がある。一実施形態では、ナイロンアンカーは、海底までドリルで穴を開けられ、コンテナ１２がこれらのアンカーにつながれる。別の実施形態では、コンテナ１２は、バラストとして機能することができる各コンテナ１２のポーチにコンクリート製おもりを用いることができる。コンテナ１２が海水域の底面に固定される方法はまた、場所の機能とすることができる。例えば、コンテナが、湖底上に位置付けされることになる場合、コンクリート製おもりの使用は、コンテナ１２を固定するのに十分なものとすることができる。しかしながら、袋が海の外に位置決めされることになる場合、ナイロンアンカーのようなより堅牢な固定機構を用いることが必要となる可能性がある。
【００４７】
図２から図４は、海底水貯蔵器の別の実施形態を示す。
【００４８】
図２では、システムは、川４８に隣接して位置決めされた水サージタンク２６を備えて沿岸構成で設定される。供給導管５０は、水を川４８からサージタンク２６内に迂回させる。サージタンク２６及び陸上放水口１８は、導管２０によりコンテナ１２に接続される。これらの導管は、川床上に位置決めされる。放水口１８は、水処理設備（図示せず）に接続される。使用中、川からの流水の急増は、水が導管２０を下行して貯蔵コンテナ１２へ移動するのに十分な時間が取れるまではタンク２６内に蓄積することができる。
【００４９】
図３では、システムは内陸構成で示されている。この実施形態では、導管２０が水を受け入れると、高密度海水によってコンテナ１２から移された水の容量は最初に受けた状態で導管を維持し、コンテナ１２から水を引き出して戻すのに必要な揚水コストを低減させる。このようなシステムでは、単一導管は、コンテナ１２からの水の流入及び流出の両方に用いることができる。
【００５０】
図４では、システムは、コンテナ１２から数百キロメートル離れた一次取水口１６と共に示されている。サージタンク２６は、水をサージタンク２６に迂回させる供給導管５０を備えて遠隔川に隣接して設けられる。二次取水口１６’もまたこの実施形態において設けられる。一次取水口１６及び二次取水口１６’は共に共通の相互接続マニホルド２２に接続され、次いでコンテナ１２を取水口に相互接続する。
【００５１】
水を長い距離運ぶ必要がある場合、コンテナ１２に水を送る導管２０内の上部圧力をポンプを用いて増大させることができる。
【００５２】
図５は、サンプル貯蔵容器の計算を示す。位置に関する貯蔵要件が決定されると、システム構成部品は、所与の貯蔵要件を達成するように選択することができる。図５Ａでは、１０，０００，０００Ｌシステムの設計要件が示される。
【００５３】
図５Ｂでは、集水域及び集水域に対する集水容量が計算される。この実施例では、スタジアムの屋根面積は、１０，０００，０００Ｌ／ａｎｎｕｍの貯蔵用の水を生成すると計算される。
【００５４】
これらのシステムのライセンス供与では、ライセンスのコストは、種々のパラメータを用いて求めることができる。例えば、ライセンスコストは、集水サイズ又は貯蔵サイズに基づくことができる。コストは、時間期間にわたる平均集水容量又は集水面積に基づくことができる。或いは、ライセンスのコストは、貯蔵水の最大貯水容量又はその最大貯水容量の利用に基づくことができる。コストは、集水容量を決定し、次いでこの数値に単価をかけることによって計算することができる。次にこのコストは、ライセンスによって毎年支払うことができる。
【００５５】
特定の実施形態を参照しながら本発明を説明してきたが、本発明が多くの他の形態で具現化することができることは当業者には理解されるであろう。例えば、フレキシブル貯蔵容器は、パイロンによって固定してもよい。同様に、他の従来の水処理段階をシステムと共に用いることができる。例えば、前処理は、貯蔵容器に入る前に水上で実施してもよい。
【図面の簡単な説明】
【００５６】
【図１Ａ】水貯蔵システムの第１の実施形態の断面図を示す。
【図１Ｂ】図１Ａの水貯蔵システムの平面図を示す。
【図１Ｃ】図１Ａの水貯蔵システムの断面図を示す。
【図２Ａ】水貯蔵システムの別の実施形態の断面図を示す。
【図２Ｂ】図２Ａの水貯蔵システムの平面図を示す。
【図３Ａ】内陸構成の水貯蔵システムの別の実施形態の断面図を示す。
【図３Ｂ】図３Ａの水貯蔵システムの平面図を示す。
【図４】地理的に遠隔の陸上取水口で構成された水貯蔵システムの別の実施形態を示す。
【図５Ａ】サンプルの貯蔵容器計算を示す。
【図５Ｂ】サンプルの貯蔵容器計算を示す。
【図６Ａ】種々のフレキシブル貯蔵容器を示す。
【図６Ｂ】種々のフレキシブル貯蔵容器を示す。
【図６Ｃ】種々のフレキシブル貯蔵容器を示す。
【符号の説明】
【００５７】
１０  水貯蔵システム
１２  コンテナ
１４  塩水
１６、１６’  取水口
１７  陸地
１８  放水口
２０  導管
２２、２４、２８、３０  マニホルド
２６  水貯蔵タンク
３２  取り付け機構
３４  支持体
３６  剛体ベース
３８  フレキシブル膜
４０  遠位端
４４  バルブ
４２  係止要素
４６  塩分監視装置
４８  川
５０  供給導管
【図１Ａ】
2008508454.tif 000003
【図１Ｂ】
2008508454.tif 000004
【図１Ｃ】
2008508454.tif 000005
【図２Ａ】
2008508454.tif 000006
【図２Ｂ】
2008508454.tif 000007
【図３Ａ】
2008508454.tif 000008
【図３Ｂ】
2008508454.tif 000009
【図４】
2008508454.tif 000010
【図５Ａ】
2008508454.tif 000011
【図５Ｂ】
2008508454.tif 000012
【図６Ａ】
2008508454.tif 000013
【図６Ｂ】
2008508454.tif 000014
【図６Ｃ】
2008508454.tif 000015
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
水貯蔵方法であって、
少なくとも１つのフレキシブル貯蔵容器を塩水域内の水中位置に拘束する段階と、
前記フレキシブル貯蔵容器と流体連通した陸上取水口を設置する段階と、
貯蔵水を放出するため前記フレキシブル貯蔵容器と流体連通し、前記陸上取水口とは異なる陸上放水口を設置する段階と、
を含み、
前記取水口及び放水口の各々と共にバルブを使用して、前記貯蔵容器又は各貯蔵容器の充填中には入口弁が開き且つ出口弁が閉じられ、前記貯蔵容器又は各貯蔵容器の放出中には前記入口弁が閉じて前記出口弁が開かれるようにし、
充填中、陸上貯蔵器からの水上部圧力が前記貯蔵容器又は各貯蔵容器に水を強制送給させる、
ことを特徴とする方法。
【請求項２】
放出中、保存上部圧力及び／又は外部海水域圧力が貯蔵容器又は各貯蔵容器の外部に水を強制送給させることを特徴とする請求項１に記載の水貯蔵方法。
【請求項３】
水貯蔵方法であって、
少なくとも１つのフレキシブル貯蔵容器を塩水域内の水中位置に拘束する段階と、
前記フレキシブル貯蔵容器と流体連通した陸上取水口を設置する段階と、
貯蔵水を放出するため前記フレキシブル貯蔵容器と流体連通し、前記陸上取水口とは異なる陸上放水口を設置する段階と、
水取水口の分配を可能にするために前記フレキシブル貯蔵容器と流体連通した別の陸上取水口を設置する段階と
を含む方法。
【請求項４】
前記陸上取水口が、水を取り込むために川、ストームウォーター又は雨水系に位置決めされることを特徴とする請求項３による水貯蔵方法。
【請求項５】
水貯蔵方法であって、
少なくとも１つのフレキシブル貯蔵容器を塩水域内の水中位置に拘束する段階と、
前記フレキシブル貯蔵容器と流体連通した陸上取水口を設置する段階と、
貯蔵水を放出するため前記フレキシブル貯蔵容器と流体連通し、前記陸上取水口とは異なる陸上放水口を設置する段階と、
を含み、
少なくとも２つのフレキシブル貯蔵容器があり、前記少なくとも２つのフレキシブル貯蔵器は、相互接続マニホルドにより互いに流体連通して相互接続されることを特徴とする方法。
【請求項６】
前記取水口及び放水口が、前記貯蔵器とそれぞれ流体連通可能であるように別個の導管によって構成され、又は互いに分割され、或いは共通パイプ内にあることを特徴とする前記請求項のいずれか１項に記載の水貯蔵方法。
【請求項７】
前記陸上取水口と流体連通してサージタンクを設置する段階を更に含む前記請求項のいずれか１項に記載の水貯蔵方法。
【請求項８】
前記サージタンクが、陸上掘削によって形成されることを特徴とする請求項７に記載の水貯蔵方法。
【請求項９】
前記サージタンクが、水取り込みの範囲を増大させるために川、ストームウォーター又は雨水系に位置決めされることを特徴とする請求項７又は８に記載の水貯蔵方法。
【請求項１０】
前記陸上放水口からの水を処理する段階を更に含む前記請求項のいずれか１項に記載の水貯蔵方法。
【請求項１１】
前記陸上取水口及び陸上放水口が、地理的に離間して配置されることを特徴とする前記請求項のいずれか１項に記載の水貯蔵方法。
【請求項１２】
ライセンスのコストが、前記陸上取水口又は各陸上取水口の上流の集水面積又は平均集水容量に基づいていることを特徴とする前記請求項のいずれか１項に従って貯蔵された水にライセンス供与する方法。
【請求項１３】
前記ライセンスのコストが、貯蔵水の最大貯水容量又はその最大貯水容量の利用に基づいていることを特徴とする請求項１から請求項１１のいずれか１項の方法に従って貯蔵された水にライセンスを供与する方法。
【請求項１４】
フレキシブル流体不浸透性コンテナ、少なくとも１つのマニホルド取り付け手段、及びコンテナ内に位置決めされた少なくとも１つのマニホルドを備えた水面下水貯蔵システムと共に用いるためのフレキシブル水貯蔵容器であって、
前記少なくとも１つのマニホルド取り付け手段は、前記貯蔵容器が空になるときに流水量を維持することができるように前記少なくとも１つのマニホルドを所定位置に保持するように配置されることを特徴とするフレキシブル水貯蔵容器。
【請求項１５】
前記少なくとも１つのマニホルドが細長く、前記少なくとも１つのマニホルドの両端から水入口流れ及び水出口流れが出入りすることを特徴とする請求項１４に記載のフレキシブル水貯蔵容器。
【請求項１６】
前記水入口流れ及び水出口流れが、別々のマニホルドを介して出入りすることを特徴とする請求項１４に記載のフレキシブル水貯蔵容器。
【請求項１７】
前記コンテナは更に、前記貯蔵容器が空になったときに前記フレキシブルコンテナの壁が前記水の流れを阻止しない支持体を含むことを特徴とする請求項１４から１６のいずれか１項に記載のフレキシブル水貯蔵容器。
【請求項１８】
前記コンテナが更に、１つ又はそれ以上の他のフレキシブル水貯蔵容器と共に構成中に前記フレキシブル水貯蔵容器を取り付けるための取り付け機構を含むことを特徴とする請求項１４から１７のいずれか１項に記載のフレキシブル水貯蔵容器。
【請求項１９】
前記取り付け機構により、１つ又はそれ以上の他のフレキシブル水貯蔵容器と共に前記フレキシブル水貯蔵容器をハニカム構成に構成し係止することが可能になることを特徴とする請求項１８に記載のフレキシブル水貯蔵容器。
【請求項２０】
前記貯蔵器の各々のマニホルドが、相互接続マニホルドを用いて相互接続されることを特徴とする請求項１８又は１９による複数のフレキシブル水貯蔵容器を含む水貯蔵システム。
【請求項２１】
前記フレキシブル水貯蔵容器が、ハニカム構成に配置されることを特徴とする請求項２０に記載の水貯蔵システム。
【請求項２２】
前記相互接続マニホルドが、陸上取水口及び陸上放水口のいずれか又は両方と流体連通することを特徴とする請求項２０又は２１に記載の水貯蔵システム。
【請求項２３】
サージタンクが、前記陸上取水口と流体連通していることを特徴とする請求項２２に記載の水貯蔵システム。
【請求項２４】
前記サージタンクが、陸上掘削によって形成されることを特徴とする請求項２３に記載の水貯蔵システム。
【請求項２５】
前記陸上放水口からの水が、水処理設備によって処理されることを特徴とする請求項２２から２４のいずれか１項に記載の水貯蔵システム。
【請求項２６】
前記フレキシブル水貯蔵容器が、使用中に塩水域の底面上の位置に固定されることを特徴とする請求項２０から２５のいずれか１項に記載の水貯蔵システム。
【請求項２７】
前記フレキシブル水貯蔵容器が、貯蔵容器が破裂する場合に前記システムの汚染を防止する塩分監視装置を組み込むことを特徴とする請求項２０から２６のいずれか１項に記載の水貯蔵システム。
【請求項２８】
塩水域内で浸水されるフレキシブル貯蔵容器と、
使用中に陸上に位置決め可能であり前記貯蔵容器と流体連通した陸上貯蔵器と、
を備えた水貯蔵システムにおいて、
前記システムが、前記陸上貯蔵器から取水貯蔵器に流れる水に対して制限を加えないように構成されることを特徴とする水貯蔵システム。
【請求項２９】
使用中、貯蔵された水の合計質量のうち、塩水域の自由表面上に保持された水の質量は、貯蔵された合計質量のほぼ２．５％であることを特徴とする請求項２８に記載の水貯蔵システム。
【手続補正２】
【補正対象書類名】明細書
【補正対象項目名】全文
【補正方法】変更
【補正の内容】
【発明の詳細な説明】
【技術分野】
【０００１】
本発明の分野は、全体的には液体の貯蔵の貯蔵器に関し、詳細には水貯蔵用の海底貯蔵器に関する。
【背景技術】
【０００２】
水の貯蔵は、都市環境では特定の問題になる可能性がある。多くの都市環境は、比較的降雨量が多い沿岸地域で発展してきた。これらの都市地域から都市ストームウォーターの形態での流出を取り込んで再利用する場合、これ以上のダムを建設する要求は延期され、又は全く排除される可能性がある。
【０００３】
集水は、川谷全体にわたってダムの形態にするのが一般的である。これらのダムは、建設に極めて費用がかかり、多くの場合大量の貴重な農地を消滅させる。このようなダムはまた、川谷の全既存の生物を滅ぼし、人造湖内に捕捉された植物性素材は、該植物性素材の分解から著しい大量の温室効果ガスの発生を生じる可能性がある。場合によっては、この温室効果ガス生成は、水力電気発電によって相殺することができるが、一般的にはダムを建設するのは望ましくない。
【０００４】
多くの地理的な位置では、淡水源は比較的都市環境の近くに設置されるのが一般的であるが、この淡水源は、ダムのような従来の手段による取り込みには好適ではない可能性がある。例えば淡水源は、より密集した都市地域から１００ｋｍ以内に設置するのが一般的である。
【０００５】
こうした都市地域内又は近くにある現在利用されていない水源を取り込み、これらの都市地域への水の供給に活用することができるような方法があれば好都合であろう。
【発明の開示】
【課題を解決するための手段】
【０００６】
第１の態様において、少なくとも１つのフレキシブル貯蔵容器を塩水域内の水中位置に拘束する段階と、フレキシブル貯蔵容器と流体連通した陸上取水口を設置する段階と、貯蔵水を放出するためフレキシブル貯蔵容器と流体連通し、陸上取水口とは異なる陸上放水口を設置する段階とを含み、取水口及び放水口の各々と共にバルブを使用して、貯蔵容器又は各貯蔵容器の充填中には入口弁が開き且つ出口弁が閉じられ、貯蔵容器又は各貯蔵容器の放出中には入口弁が閉じて出口弁が開かれるようにし、充填中、陸上貯蔵器からの水上部圧力が貯蔵容器又は各貯蔵容器に水を強制送給させる水貯蔵方法が提供される。
【０００７】
本発明の第１の態様において、放出中、保存上部圧力及び／又は外部海水域圧力を用いて貯蔵容器又は各貯蔵容器の外部に水を強制送給させることができる。
【０００８】
第２の態様において、少なくとも１つのフレキシブル貯蔵容器を塩水域内の水中位置に拘束する段階と、フレキシブル貯蔵容器と流体連通した陸上取水口を設置する段階と、貯蔵水を放出するためフレキシブル貯蔵容器と流体連通し、陸上取水口とは異なる陸上放水口を設置する段階と、水取水口の分配を可能にするためにフレキシブル貯蔵容器と流体連通した別の陸上取水口を設置する段階とを含む水貯蔵方法が提供される。
【０００９】
第３の態様において、少なくとも１つのフレキシブル貯蔵容器を塩水域内の水中位置に拘束する段階と、フレキシブル貯蔵容器と流体連通した陸上取水口を設置する段階と、貯蔵水を放出するためフレキシブル貯蔵容器と流体連通し、陸上取水口とは異なる陸上放水口を設置する段階と、を含み、少なくとも２つのフレキシブル貯蔵容器があり、少なくとも２つのフレキシブル貯蔵器は、相互接続マニホルドにより互いに流体連通して相互接続されることを特徴とする水貯蔵方法が提供される。
【００１０】
前述の態様は、有用な陸地が水貯蔵のために費やされない利点を提供する。同様に、高密度の塩水によって、貯蔵水の自由表面は、貯蔵器が拘束される塩水の自由表面上に位置することになる別の利点がある。これにより、水が貯蔵器から回収されるときの有意な量の電力を節約することができる。
【００１１】
本発明の一実施形態では、取水口及び放水口は、別個の導管を介してフレキシブル貯蔵容器と流体連通する。或いは、取水口及び放水口は互いに分割するか、共通のパイプ内にあることができる。
【００１２】
１つの形態において、少なくとも２つのフレキシブル貯蔵容器があり、これらの貯蔵器は、相互接続マニホルドにより互いに流体連通している。
【００１３】
１つより多い水源が取り込みに利用可能である場合、本発明の実施形態は、例えば川、ストームウォーターチャネル又は雨水系からの水の取り込み用に１つより多い陸上取水口を設置することを含むことができる。
【００１４】
種々の水源は通常、様々な供給特徴を有する。例えば、ストームウォーター流出により、通常比較的短い時間期間で高容量の水が得られる。この状況における取り込まれる水の範囲は、陸上取水口と流体連通したサージタンクを設けることによって改善することができる。高潮が起こると、過剰な流量がサージタンク内に蓄積され、次いで時間と共に貯蔵容器に移行させることができる。
【００１５】
サージタンクは、多くの方法の１つによって形成することができる。タンクは、従来のコンクリートタンクの形態とすることができるが、このようなタンクは極めて邪魔になる可能性がある。或いはサージタンクは、状況が許す場合は陸上掘削によって形成することができる。これは、サージタンクを隠す利点をもたらす。
【００１６】
サージタンクは、沿岸周辺に設置する必要はない。例えば、サージタンクは、貯蔵容器から遠方及び／又は取水口から遠方の丘又は山腹に設置することができる。
【００１７】
幾つかの状況では、その取り込まれた形態の水は、飲料水として好適なものとはならない。これらの状況下では、本発明の実施形態は、陸上放水口からの水を処理する追加段階を含むことができる。処理はまた、取水口でもおこなう場合がある。
【００１８】
別の態様では、貯蔵水にライセンスを供与する方法が提供され、ライセンスのコストは陸上取水口の上流の集水面積に基づいている。或いはコストは、時間期間にわたって陸上取水口を通過する水の平均容量に基づくことができる。他の利用可能なライセンス供与モデルには、コストが貯蔵容器の最大貯水容量又は所与の時間期間にわたるその貯水容量の利用に基づくモデルを含む。
【００１９】
別の態様では、フレキシブル流体不浸透性コンテナ、少なくとも１つのマニホルド取り付け手段、及びコンテナ内部に位置決めされた少なくとも１つのマニホルドを備える水面下水貯蔵容器と共に用いるためのフレキシブル水貯蔵容器が提供され、少なくとも１つのマニホルド取り付け手段は、貯蔵容器が空になると流水量を維持できるように少なくとも１つのマニホルドを適切な位置に保持するように配置される。
【００２０】
マニホルドの位置決めは、水が貯蔵容器から汲み出される時に重要である。幾つかの環境では、ポケットをフレキシブル貯蔵容器壁内に形成することは可能であるが、これらのポケットは貯蔵容器からの水の抽出を阻止する。マニホルドの位置決めは、これを軽減させることができる
【００２１】
貯蔵容器からの水の抽出を促進することができるマニホルドの幾つかの構成がある。一実施形態では、マニホルドは細長く、水出口流れ及び水入り口流れは、マニホルドの両端から出入りする。別の実施形態では、水出口流れ及び水入り口流れは、別々のマニホルドを介して出入りする。
【００２２】
貯蔵容器からの水の抽出はまた、貯蔵容器が空になるときにフレキシブルコンテナの壁が水の流れを阻止しないようにする支持体の提供によって促進することができる。フレキシブルコンテナはまた、過度の圧力からフレキシブルコンテナの損傷を防止する圧力開放バルブを備えることができる。
【００２３】
別の実施形態では、コンテナは更に、フレキシブル水貯蔵容器を１つ又はそれ以上の他のフレキシブル水貯蔵容器を備えた構成に取り付けるための取り付け機構を含む。この取り付け機構は、貯蔵容器を幾つかの異なる構成に組立てることを可能にする。これらの構成には、例えば、互いに隣接した配置又は相互に積み重なる配置を含む。１つの特定の実施形態では、取り付け機構は、フレキシブル水貯蔵容器をハニカム構成に構成及び係止することを可能にする。このハニカム構成は、貯蔵器間のスペースを最小限に抑え、その結果、海洋生物を貯蔵器上で生育するのに利用可能なスペース量を最小限に抑える。同様に貯蔵器がこの構成にある場合、構成内の外部貯蔵器は内部貯蔵器を損傷から保護する。
【００２４】
別の態様では、複数のフレキシブル水貯蔵容器を備えた水貯蔵システムが提供され、貯蔵器又は貯蔵器の各々のマニホルドは、相互接続マニホルドを用いて相互接続される。
【００２５】
本システムの特定の実施形態では、フレキシブル水貯蔵容器は、ハニカム構成に配置される。
【００２６】
他の実施形態では、相互接続マニホルドは、陸上取水口及び陸上放水口のいずれか又は両方と流体連通している。
【００２７】
本システムの実施形態はまた、陸上取水口と流体連通したサージタンクを有することができる。適切な場合、本発明の実施形態は、このサージタンクを陸上掘削によって形成させることができる。本システムの実施形態はまた、陸上放水口（又は取水口でも）に接続された水処理設備を有することができる。
【００２８】
本システムの実施形態が、塩水域に位置決めされる場合には、フレキシブル水貯蔵容器は、これらが所定位置外に移動しないよう所定位置に固定することができる。同様に、フレキシブル水貯蔵容器が所定位置にある場合、この固定により、浮揚性貯蔵容器が移動しないようにすることができる。
【００２９】
別の態様では、塩水域内で使用中に浸水されるフレキシブル貯蔵容器と、使用中及び貯蔵容器と流体連通して陸上に位置決め可能な陸上貯蔵器とを備えた水貯蔵システムが提供され、本システムは、貯蔵容器から陸上貯蔵器に流れる水に対して制限を加えないように構成される。
【００３０】
特定の実施形態では、貯蔵された水の合計質量のうち、塩水域の自由表面上の陸上貯蔵器に保持された水の質量は、貯蔵された合計質量のほぼ２．５％である。塩水の自由表面の上方に保持されたこの水の質量は、水源として用いるための貯蔵器又は他の場所に水を引き上げるのに利用することができる。このような質量はまた、フレキシブル貯蔵容器上の塩水域の作動によって塩水の自由表面の上方に保持することができる。
【００３１】
特定の実施形態において、陸上貯蔵器からの水上部圧力が水を貯蔵容器内に強制的に送る充填状態に構成されたバルブを用いることができる。充填後バルブは、貯蔵水の一部が遠隔の場所に押し出されるように保存上部圧力が補助ラインを通って貯蔵水を強制的に送る放出状態に構成することができる。
【発明を実施するための最良の形態】
【００３２】
次に、添付図面を参照しながら本方法、貯蔵器及びシステムの特定の実施形態を例証として説明する。以下の説明において、同じ参照番号が本発明の様々な実施形態の同じ要素を示すのに用いられる。
【００３３】
図１から図４は、水貯蔵システムの実施可能な実施形態の種々の構成を示す。図１は、陸地１７に位置決めされた陸上取水口１６及び塩水域１４に隣接して設置された陸上放水口１８と流体連通して塩水域１４に固定されたコンテナ１２の形態で５つのフレキシブルな貯蔵容器を有する水貯蔵システム１０を示す。
【００３４】
使用中、例えば川、ストームウォーター又は雨水からの水は、陸上取水口１６を通ってそこからコンテナ１２に向かう。水は、陸上放水口１８から汲み上げることによってコンテナ１２から回収することができる。
【００３５】
この実施形態では、水貯蔵タンク２６はまた、サージタンクとして岩の中に掘削されている。別の実施形態では、このタンクは、コンクリート又はスチールタンク等の従来の地上タンクの形態であってもよい。タンク２６は、水が陸上取水口１６を通ってコンテナ１２に移行する時間ができるまでは、水の流量の急増を緩衝することを可能にするアキュムレータとして機能する。水を緩衝するこの能力は、システムによる水取り込みの程度を増やし、オーバーフローによる損失を低減することができる。
【００３６】
水は、典型的な貯蔵水用途のために放水口１８から汲み出すことができる。例えば水は、家庭内飲料水としてその後の配水用に水処理設備（図示せず）に移行することができる。他の用途には、工業用及び農業用（例えば、灌漑）において処理水又は未処理水を用いることが含まれる。
【００３７】
取水口１６及び放水口１８は、別個の導管２０によってコンテナ１２に接続される。別個の導管を使用することで、コンテナ１２内の水の混合が促進される。しかしながら、取水口１６及び放水口１８は、共通の導管内にあることができる。導管２０は、岩に割り込み、コンテナ１２まで海底パイプとして延ばすことができる。
【００３８】
コンテナ１２は、コンテナ１２の各々の内部に位置決めされた抽出マニホルド２４から水を汲む相互接続マニホルド２２によって互いに接続される。相互接続マニホルド２２は、導管２０との間で水を移行し、コンテナ１２間に水を分配する。
【００３９】
図１に示す実施形態では、各コンテナ１２内に２つの抽出マニホルド２４がある。取水マニホルド２８は取水口１６から水を受け取り、放水マニホルド３０はコンテナから水を回収する。本発明の他の実施形態では、単一のマニホルドが取水及び放水マニホルドの両方として動作することができる。
【００４０】
別の実施形態では、コンテナの両端に設置された２つの相互接続マニホルドがある。これらの相互接続マニホルドは、組み合わせ取水／放水マニホルドの両端に接続される。使用中、取水口からの水は、マニホルドの第１のものを介してコンテナに移行し、水は他のマニホルドを介してコンテナから放水口に移される。
【００４１】
ここで図６Ａから図６Ｃを参照すると、コンテナ１２の幾つかの構成が示される。コンテナ１２の形状及び抽出マニホルド２４の構成の両方の様々な構成が示される。
【００４２】
図６Ａ（ｉ）及び図６Ａ（ｉｉ）は、抽出マニホルド２４がコンテナ１２内に位置決めされた、それぞれ空の状態及び満杯の状態におけるシステムの実施形態を示している。垂直支持体３４は、コンテナ１２の剛体ベース３６から突出し、使用中にコンテナ１２が空状態になったときにコンテナ１２のフレキシブル膜３８を支持する。
【００４３】
マニホルド２４の各々は、支持体３４に一体化された取り付け機構３２に取り付けられる。取り付け機構３２を備えた支持体３４上のマニホルド２４の位置決めは、フレキシブル膜３８が抽出マニホルド２４上の水接続口を遮らないようにすることによって、水の流れを維持するのを助ける。コンテナ１２はまた、圧力開放バルブ４４を備える。圧力開放バルブ４４は、過度の水圧がコンテナ１２内で増大した場合にコンテナ１２に対する損傷を防止する。
【００４４】
空状態及び満杯状態の両方におけるシステムの別の実施形態が、図６Ｂ（ｉ）及び図６Ｂ（ｉｉ）に示される。この実施形態では、４つの抽出マニホルド２８，３０（２つの取水マニホルド及び２つの放水マニホルド）は、コンテナ１２の剛体ベース３６から突出する垂直支持部材３４の遠位端４０に浮遊する。この実施形態では、コンテナ１２が空状態に近づくと、フレキシブル膜３８が、支持体及び抽出マニホルド２４全体を覆う場合、空隙は垂直支持部材３４の遠位端４０の下方領域内に維持される。この実施形態では、４つの抽出マニホルド２８、３０は、浮揚性があり、支持体３４に沿って摺動可能である。
【００４５】
空状態及び満杯状態の両方におけるシステムの別の代替的な実施形態が図６Ｃ（ｉ）及び図６Ｃ（ｉｉ）に示される。この実施形態では、六角形コンテナ１２は、相互接続されて積み重ねハニカム構成になる。このハニカム配置は、コンテナ１２が空状態に近づいたときに、垂直に整列したコンテナ１２からの抽出マニホルド２４が互いに積み重なり、フレキシブル膜３８が抽出マニホルド２４上の水接続口を遮らないようにするのを助ける利点を有する。
【００４６】
コンテナ１２の所与の構成への係止を容易にするために、図６Ｃ（ｉｉｉ）に示すような係止要素４２がコンテナ１２の縁部に設けられる。一連の同様のコンテナを構成内に係止することを可能にするために、別のオス及びメス係止要素がコンテナ１２の両側に設けられる。
【００４７】
別の実施形態では、長円型又は矩形のコンテナは、同様の稠密構成に積み重ねることができる。コンテナを積み重ねた構成に位置付けることによって、コンテナ間に構築される海洋生物が利用可能なスペースが最小限に抑えられる。積み重ね構成はまた、最外コンテナが内部コンテナを損傷から保護する利点を提供する。従って、システムに対する動物の攻撃又は暴風雨損傷等の他の損傷がある場合でも、最外コンテナは、内部コンテナに対して犠牲的障壁を提供する。
【００４８】
現在損傷受けたコンテナにおいて破裂による非損傷コンテナの貯蔵水の汚染を防止するために、本システムはまた、塩分監視装置４６を備える。コンテナ１２の塩分含有量の増大が検出されると、バルブが動作し、汚染コンテナ１２の抽出マニホルド２４を相互接続マニホルド２２から分離する。
【００４９】
コンテナ１２を塩水域の底面に固定することができる幾つかの実施可能な方法がある。一実施形態では、ナイロンアンカーは、海底までドリルで穴を開けられ、コンテナ１２がこれらのアンカーにつながれる。別の実施形態では、コンテナ１２は、バラストとして機能することができる各コンテナ１２のポーチにコンクリート製おもりを用いることができる。コンテナ１２が海水域の底面に固定される方法はまた、場所の機能とすることができる。例えば、コンテナが、湖底上に位置付けされることになる場合、コンクリート製おもりの使用は、コンテナ１２を固定するのに十分なものとすることができる。しかしながら、袋が海の外に位置決めされることになる場合、ナイロンアンカーのようなより堅牢な固定機構を用いることが必要となる可能性がある。
【００５０】
図２から図４は、海底水貯蔵器の別の実施形態を示す。
【００５１】
図２では、システムは、川４８に隣接して位置決めされた水サージタンク２６を備えて沿岸構成で設定される。供給導管５０は、水を川４８からサージタンク２６内に迂回させる。サージタンク２６及び陸上放水口１８は、導管２０によりコンテナ１２に接続される。これらの導管は、川床上に位置決めされる。放水口１８は、水処理設備（図示せず）に接続される。使用中、川からの流水の急増は、水が導管２０を下行して貯蔵コンテナ１２へ移動するのに十分な時間が取れるまではタンク２６内に蓄積することができる。
【００５２】
図３では、システムは内陸構成で示されている。この実施形態では、導管２０が水を受け入れると、高密度海水によってコンテナ１２から移された水の容量は最初に受けた状態で導管を維持し、コンテナ１２から水を引き出して戻すのに必要な揚水コストを低減させる。このようなシステムでは、単一導管は、コンテナ１２からの水の流入及び流出の両方に用いることができる。
【００５３】
図４では、システムは、コンテナ１２から数百キロメートル離れた一次取水口１６と共に示されている。サージタンク２６は、水をサージタンク２６に迂回させる供給導管５０を備えて遠隔川に隣接して設けられる。二次取水口１６’もまたこの実施形態において設けられる。一次取水口１６及び二次取水口１６’は共に共通の相互接続マニホルド２２に接続され、次いでコンテナ１２を取水口に相互接続する。
【００５４】
水を長い距離運ぶ必要がある場合、コンテナ１２に水を送る導管２０内の上部圧力をポンプを用いて増大させることができる。
【００５５】
図５は、サンプル貯蔵容器の計算を示す。位置に関する貯蔵要件が決定されると、システム構成部品は、所与の貯蔵要件を達成するように選択することができる。図５Ａでは、１０，０００，０００Ｌシステムの設計要件が示される。
【００５６】
図５Ｂでは、集水域及び集水域に対する集水容量が計算される。この実施例では、スタジアムの屋根面積は、１０，０００，０００Ｌ／ａｎｎｕｍの貯蔵用の水を生成すると計算される。
【００５７】
これらのシステムのライセンス供与では、ライセンスのコストは、種々のパラメータを用いて求めることができる。例えば、ライセンスコストは、集水サイズ又は貯蔵サイズに基づくことができる。コストは、時間期間にわたる平均集水容量又は集水面積に基づくことができる。或いは、ライセンスのコストは、貯蔵水の最大貯水容量又はその最大貯水容量の利用に基づくことができる。コストは、集水容量を決定し、次いでこの数値に単価をかけることによって計算することができる。次にこのコストは、ライセンスによって毎年支払うことができる。
【００５８】
特定の実施形態を参照しながら本方法、貯蔵器、及びシステムを説明してきたが、これらが多くの他の形態で具現化することができることは当業者には理解されるであろう。例えば、フレキシブル貯蔵容器は、パイロンによって固定してもよい。同様に、他の従来の水処理段階をシステムと共に用いることができる。例えば、前処理は、貯蔵容器に入る前に水上で実施してもよい。
【図面の簡単な説明】
【００５９】
【図１Ａ】水貯蔵システムの第１の実施形態の断面図を示す。
【図１Ｂ】図１Ａの水貯蔵システムの平面図を示す。
【図１Ｃ】図１Ａの水貯蔵システムの断面図を示す。
【図２Ａ】水貯蔵システムの別の実施形態の断面図を示す。
【図２Ｂ】図２Ａの水貯蔵システムの平面図を示す。
【図３Ａ】内陸構成の水貯蔵システムの別の実施形態の断面図を示す。
【図３Ｂ】図３Ａの水貯蔵システムの平面図を示す。
【図４】地理的に遠隔の陸上取水口で構成された水貯蔵システムの別の実施形態を示す。
【図５Ａ】サンプルの貯蔵容器計算を示す。
【図５Ｂ】サンプルの貯蔵容器計算を示す。
【図６Ａ】種々のフレキシブル貯蔵容器を示す。
【図６Ｂ】種々のフレキシブル貯蔵容器を示す。
【図６Ｃ】種々のフレキシブル貯蔵容器を示す。
【符号の説明】
【００６０】
１０  水貯蔵システム
１２  コンテナ
１４  塩水
１６、１６’  取水口
１７  陸地
１８  放水口
２０  導管
２２、２４、２８、３０  マニホルド
２６  水貯蔵タンク
３２  取り付け機構
３４  支持体
３６  剛体ベース
３８  フレキシブル膜
４０  遠位端
４４  バルブ
４２  係止要素
４６  塩分監視装置
４８  川
５０  供給導管
【国際調査報告】
2008508454.tif 000016
2008508454.tif 000017
2008508454.tif 000018
2008508454.tif 000019
2008508454.tif 000020